(57)【要約】【課題】芯材を回転軸に装着させると共に、芯材と回転軸との間の力の伝達を確実にして、フィルム状の接着剤の繰り出しを安定的に行うことができる巻芯保持具を提供する。【解決手段】巻芯保持具１は、巻芯内に挿入されて巻芯を保持する外周部１０と、回転軸を挿通させる開口部８を有し回転軸に嵌着される回転軸挿通部９と、回転軸挿通部９から径方向外側に延在し外周部１０に連結される連結部１１と、を備え、開口部８の周縁には、回転軸の外周面から突出する凸部を受容する受容部１３が形成されている構成とする。【選択図】図４
2015006937.tif 000002
【特許請求の範囲】
【請求項１】
フィルム状の接着剤が巻き重ねられた筒状の巻芯の端部に装着されて前記巻芯を回転軸に装着させるための巻芯保持具において、
前記巻芯内に挿入されて前記巻芯を保持する外周部と、
前記回転軸を挿通させる開口部を有し前記回転軸に嵌着される回転軸挿通部と、
前記回転軸挿通部から径方向外側に延在し前記外周部に連結される連結部と、を備え、
前記開口部の周縁には、前記回転軸の外周面から突出する凸部を受容する受容部が形成されていることを特徴とする巻芯保持具。
【請求項２】
前記受容部は、前記開口部の径方向外側に延びていることを特徴とする請求項１に記載の巻芯保持具。
【請求項３】
前記受容部は、前記開口部の中心線が延在する方向に貫通していることを特徴とする請求項１又は２に記載の巻芯保持具。
【請求項４】
前記開口部の径方向に対向して配置された一対の前記受容部を有することを特徴とする請求項１〜３の何れか一項に記載の巻芯保持具。
【請求項５】
前記外周部には、径方向外側に突出する外周突起部が形成されていることを特徴とする請求項１〜４の何れか一項に記載の巻芯保持具。
【請求項６】
前記フィルム状の接着剤は、基材フィルムと、前記基材フィルム上に設けられた接着剤層である異方導電材層とを有する異方導電材テープであることを特徴とする請求項１〜５の何れか一項に記載の巻芯保持具。
【請求項７】
請求項１〜６の何れか一項に記載の巻芯保持具と、
フィルム状の接着剤が巻き重ねられる筒状の巻芯と、を備え、
前記巻芯保持具が前記巻芯の端部の開口に嵌められている巻芯ユニット。
【請求項８】
請求項７に記載の巻芯ユニットと、
前記巻芯に巻き重ねられた前記フィルム状の接着剤の巻回体と、を備えるフィルム状接着剤セット。
【発明の詳細な説明】
【技術分野】
【０００１】
本発明は、フィルム状の接着剤が巻き重ねられた筒状の巻芯を回転軸に装着するための巻芯保持具、この巻芯保持具を備えた巻芯ユニット及び異方導電材テープセットに関する。
【背景技術】
【０００２】
フィルム状の接着剤として、電子部品と回路基板、回路基板同士などを接着固定する共に、両者の対向する電極同士を電気的に接続する異方導電材テープが知られている。このような異方導電材テープを対向する電極間に挟んで加熱加圧することにより、基板同士を接着して電極同士を導通させることができる。
【０００３】
従来、異方導電材テープは、例えば円盤状の芯材であるリールに巻回されてリール製品として提供されていた。また、中心線方向に所定の長さを有する円筒体を芯材とし、この芯材に異方導電材テープを巻き重ねることで、製品として異方導電材テープを供給することが提案されている（例えば特許文献１参照）。
【先行技術文献】
【特許文献】
【０００４】
【特許文献１】特開２００４−５９７７６号公報
【発明の概要】
【発明が解決しようとする課題】
【０００５】
芯材に巻き重ねられたフィルム状の接着剤を使用する場合には、芯材の開口部に繰り出し装置の回転軸を挿通させて芯材を回転軸に固定することで、フィルム状の接着剤の巻回体を回転可能に支持している。このとき、芯材と回転軸との間の結合が不十分であると、両者の間での力の伝達が不足し、例えば回転軸が空回りすることになり、フィルム状の接着剤を巻回体から安定的に引き出せなくなる。また、巻芯を回転軸にそのまま装着する構成であると、巻芯の内径のサイズ変更があった場合、そのまま従来の回転軸に装着させることができないという問題がある。
【０００６】
本発明は、芯材を回転軸に装着させると共に、芯材と回転軸との間の力の伝達を確実にして、フィルム状の接着剤の繰り出しを安定的に行うことができる巻芯保持具、巻芯ユニット及びフィルム状接着剤セットを提供することを目的とする。
【０００７】
また、本発明は、巻芯の内径のサイズ変更があっても、従来の回転軸に装着させることが可能な巻芯保持具、巻芯ユニット及びフィルム状接着剤セットを提供することを目的とする。
【課題を解決するための手段】
【０００８】
本発明の巻芯保持具は、フィルム状の接着剤が巻き重ねられた筒状の巻芯の端部に装着されて巻芯を回転軸に装着させるための巻芯保持具において、巻芯内に挿入されて巻芯を保持する外周部と、回転軸を挿通させる開口部を有し回転軸に嵌着される回転軸挿通部と、回転軸挿通部から径方向外側に延在し外周部に連結される連結部と、を備え、開口部の周縁には、回転軸の外周面から突出する凸部を受容する受容部が形成されていることを特徴としている。
【０００９】
本発明の巻芯保持具は、筒状の巻芯を回転軸に装着するため巻芯保持具であり、回転軸が挿入される開口部の周縁には、回転軸の外周面から突出する凸部を受容する受容部が形成されている。これにより、巻芯保持具の開口部に回転軸を挿通させて、開口部の周縁に形成された受容部に回転軸の凸部を挿入することができる。回転軸を軸回りに回転させると、回転軸の凸部が当接する受容部に回転力が伝達されるので、回転軸と共に巻芯を回転させてフィルム状の接着剤を安定的に繰り出すことができる。
【００１０】
また、巻芯保持具を介して回転軸に巻芯を装着することができるので、巻芯のサイズ変更があっても、巻芯保持具のサイズ変更を行うだけで従来の回転軸に装着させることができる。そのため、回転軸の変更などの費用負担を回避することができる。
【００１１】
また、受容部は、開口部の径方向外側に延びている構成でもよい。受容部が径方向外側に延びていると、回転軸の外周面から突出する凸部の張り出し長さを長くすることができるので、回転軸の凸部と受容部とが接触する領域を径方向に増やすことができる。そのため、回転軸の回転力を巻芯保持具に確実に伝達させて、フィルム状の接着剤を安定的に繰り出すことができる。
【００１２】
また、受容部は、開口部の中心線が延在する方向に貫通している構成でもよい。受容部が中心線の延在する方向に貫通していると、回転軸の外周面から突出する凸部を回転軸の長手方向に長くすることができるので、回転軸の凸部と受容部とが接触する領域を回転軸の長手方向に増やすことができる。そのため、回転軸の回転力を巻芯保持具に確実に伝達させて、フィルム状の接着剤を安定的に繰り出すことができる。
【００１３】
巻芯保持具は、開口部の径方向に対向して配置された一対の受容部を有する構成でもよい。このように、受容部が径方向の両側に配置されていると、回転軸の外周面から突出する凸部を、回転軸の径方向の両側に設けることができる。これにより、回転軸から突出する一対の凸部を、それぞれ受容部に挿入することができ、凸部に作用する力を分散させて巻芯を回転させることができる。また、凸部が複数個所に設けられていると、例えば、一つの凸部に不具合が生じても残りの凸部によって回転軸の回転力を伝達して巻芯保持具を回転させることもできる。
【００１４】
外周部には、径方向外側に突出する外周突起部が形成されていてもよい。このように、巻芯内に挿入されて巻芯を保持する外周部に、径方向外側に突出する外周突起部が形成されていると、外周突起部が巻芯の内周壁に引っ掛かり、巻芯保持具の回転力を巻芯に確実に伝達させて巻芯を回転させることができる。そのため、回転軸の回転力が巻芯保持具を介して巻芯に伝達されるので、フィルム状の接着剤を安定的に繰り出すことができる。
【００１５】
フィルム状の接着剤は、基材フィルムと、基材フィルム上に設けられた接着剤層である異方導電材層とを有する異方導電材テープでもよい。これにより、回転軸と共に巻芯を回転させて異方導電材テープを安定的に繰り出すことができる。
【００１６】
また、本発明の巻芯ユニットは、上記の巻芯保持具と、フィルム状の接着剤が巻き重ねられる筒状の巻芯と、を備え、巻芯保持具が巻芯の端部の開口に嵌められている。
【００１７】
本発明の巻芯ユニットは、巻芯保持具を備えており、この巻芯保持具の開口部の周縁には、回転軸の外周面から突出する凸部を受容する受容部が形成されている。これにより、巻芯保持具の開口部に回転軸を挿通させて、開口部の周縁に形成された受容部に回転軸の凸部を挿入することができる。回転軸を軸回りに回転させると、回転軸の凸部が当接する受容部に回転力が伝達されるので、回転軸と共に巻芯を回転させてフィルム状の接着剤を安定的に繰り出すことができる。また、巻芯ユニットは、巻芯と巻芯保持具とが一体として構成されているので、回転軸に装着する前に巻芯と巻芯保持具とを組み合わせる必要がなく取扱いが容易である。
【００１８】
また、本発明のフィルム状接着剤セットは、上記の巻芯ユニットと、巻芯に巻き重ねられたフィルム状の接着剤の巻回体と、を備えている。
【００１９】
本発明のフィルム状接着剤セットは、巻芯保持具を備えており、この巻芯保持具の開口部の周縁には、回転軸の外周面から突出する凸部を受容する受容部が形成されている。これにより、巻芯保持具の開口部に回転軸を挿通させて、開口部の周縁に形成された受容部に回転軸の凸部を挿入することができる。回転軸を軸回りに回転させると、回転軸の凸部が当接する受容部に回転力が伝達されるので、回転軸と共に巻芯を回転させてフィルム状の接着剤を安定的に繰り出すことができる。また、フィルム状接着剤セットは、巻芯と巻芯保持具とが一体として構成された巻芯ユニットを備えているので、回転軸に装着する前に巻芯と巻芯保持具とを組み合わせる必要がなく取扱いが容易である。フィルム状接着剤セットによれば、巻芯ユニットと異方導電材テープの巻回体とが一体として構成された製品として提供することができる。
【発明の効果】
【００２０】
本発明によれば、フィルム状の接着剤が巻き重ねられた巻芯を回転軸に装着させることができ、巻芯と回転軸との間の力の伝達を確実にして、フィルム状の接着剤の繰り出しを安定的に行うことができる巻芯保持具、巻芯ユニット及びフィルム状接着剤セットを提供することができる。
【００２１】
また、巻芯保持具を介して回転軸に巻芯を装着することで、巻芯のサイズ変更があっても、巻芯保持具のサイズ変更を行うだけで従来の回転軸に装着させることができる。そのため、回転軸の変更などの費用負担を回避することができる。
【図面の簡単な説明】
【００２２】
【図１】本発明の実施形態に係る巻芯保持具が装着された巻芯及び巻芯に巻き重ねられた異方導電材テープを示す模式的斜視図である。
【図２】巻芯保持具を介して回転軸に保持された巻芯及び異方導電材テープを示す模式的側面図である。
【図３】異方導電材テープの模式的断面図である。
【図４】巻芯保持具の模式的正面図である。
【図５】巻芯保持具の変形例を示す模式的正面図である。
【発明を実施するための形態】
【００２３】
以下、図面を参照しつつ本発明に係る巻芯保持具、巻芯ユニット及びフィルム状接着剤セットの好適な実施形態について詳細に説明する。
【００２４】
図１及び図２に示されるように、巻芯保持具１は、異方導電材テープ（フィルム状の接着剤）２が巻き重ねられた巻芯（芯材）４を、回転軸５に固定する際に使用されるものである。巻芯４に巻き重ねられた状態の異方導電材テープ２を巻回体３と記す。回転軸５は、巻回体３から異方導電材テープ２を引き出すための繰り出し装置に設けられており、例えば駆動源である電動モータから出力された回転駆動力が伝達されて軸回りに回転する。
【００２５】
また、巻芯ユニット３１は、巻芯４と、この巻芯４の両端部の開口４ａにそれぞれ嵌められた一対の巻芯保持具１とを備えている。異方導電材テープセット（フィルム状接着剤セット）３２は、巻芯ユニット３１と、巻回体３とを有する。
【００２６】
巻芯４に巻き重ねられた状態の異方導電材テープ２を使用する場合には、巻芯４を回転軸５に固定して、回転軸５及び巻芯４を回転させながら巻回体３から異方導電材テープ２を引き出す。
【００２７】
図３は、異方導電材テープ２の模式的断面図である。異方導電材テープ２は、図３に示されるように、フィルム状の接着剤層（異方導電材層）６と、この接着剤層６を保持する基材フィルム７とを有する。基材フィルム７に用いることができる素材としては、ポリプロピレン（ＰＰ）、延伸ポリプロピレン（ＯＰＰ）、ポリエチレンテレフタレート（ＰＥＴ）等が挙げられる。基材フィルム７は、破断強度が８０〜４００ＭＰａ、且つ、破断伸度が３０〜２００％であることが好適である。破断強度及び破断伸度は、ＪＩＳ  Ｃ２３１８又はこれに準じる方法で測定したものである。このような破断強度及び破断伸度の基材フィルム７を用いることで、接着剤層６が基材フィルム７と共に伸びてしまうことが防止され、接合後の製品の性能安定性をより向上させることができる。
【００２８】
基材フィルム７の厚さは１００μｍ以下（好ましくは７５μｍ以下、更には５０μｍ以下）が好ましい。基材フィルム７の厚さをこの範囲にすることで、異方導電材テープ２の厚さを薄くすることができ、巻芯４に巻回できる異方導電材テープ２の長さを増大させることができ、生産性を向上させることができる。なお、基材フィルム４の厚さの下限としては１０μｍ程度である。
【００２９】
基材フィルム７の幅は、接着剤層６の幅と同じであるか、接着剤層６の幅よりも大きいことが好ましい。具体的には、接着剤層６の幅は、０．５〜５ｍｍが好ましいため、これと同等か５０％程広い幅、すなわち、０．５〜７．５ｍｍ程度の幅が好ましい。基材フィルム７の幅が、接着剤層６より広いときは、接着剤層６は、基材フィルム７の幅方向の中央に配置させるのがよい。
【００３０】
基材フィルム７はその表面が離型処理されたものであってもよい。ここで「離型処理」とは、基材フィルムの表面を低表面エネルギーにして、材料の密着性を低下させる処理をいう。離型処理としては、シリコーン又はフッ素化合物で表面処理する方法が典型的である。基材フィルム７の両面が離型処理されていることが好ましい。このように離型処理されていることにより、接着剤層６を電子基板等に接着させるときに容易に基材フィルム７から剥離できるようになる。
【００３１】
接着剤層６としては、電極間の導通を得るための導電粒子が樹脂に混合されたものが典型的であり、樹脂としては、熱可塑性樹脂、熱硬化性樹脂、熱可塑性樹脂及び熱硬化性樹脂の混合系並びに光硬化性樹脂を用いることができる（例えば、特開昭５５−１０４００７号公報参照）。なお導電粒子を含まず、樹脂のみからなるものであってもよい（例えば、特開昭６０−２６２４３０号公報参照）。
【００３２】
熱可塑性樹脂としては、スチレン樹脂系、ポリエステル樹脂系があり、また熱硬化性樹脂系としてはエポキシ樹脂系、シリコーン樹脂系、アクリル樹脂系等が知られている。熱可塑性樹脂系、熱硬化性樹脂系共に接続するために、通常、加熱加圧を必要とする。熱可塑性樹脂系では樹脂を流動させ被着体との密着力を得るため、また熱硬化性樹脂系では更に樹脂の硬化反応を行うためである。また、光硬化樹脂系は低温度で接続が求められる用途に有用である。
【００３３】
接着剤層６の厚さには特に制限はなく、適用する用途に合わせて適宜決定できる。接着剤層６の厚さは、例えば、１〜１００μｍ（好ましくは５〜１００μｍ、更には１０〜４０μｍ）とすることができる。
【００３４】
巻芯４は、図１及び図２に示されるように、軸線方向に所定の長さを有する円筒体である。巻芯４の外径は、例えば９０ｍｍであり、好ましくは６０〜１２０ｍｍであり、巻芯４の内径は、例えば７６ｍｍである。巻芯４の軸線方向の長さは、例えば５０〜１５０ｍｍである。
【００３５】
異方導電材テープ２は、巻芯４の外周面に沿って巻き付けられ、巻芯４の軸線方向の所定の長さの領域に複数列、巻かれた後、径方向の外側へ順次巻き重ねられ、複数回巻かれている。巻芯４に巻き重ねられた異方導電材テープ２の全長は、例えば３０００ｍである。このときの巻回体３の軸線方向の幅は、例えば、２０ｍｍであり、巻回体３の外径は、例えば、１５０ｍｍである。また、巻回体３は、巻芯４の軸線方向の中央の領域に配置されている。
【００３６】
図４は、巻芯保持具１の模式的正面図である。巻芯保持具１は、巻芯４の軸線方向の両端部に装着されて使用される。なお、巻芯保持具１の正面は、巻芯４に嵌められた状態で、巻芯４の軸線方向において外方を向く面とする。巻芯保持具１の中央には、回転軸５を挿通させる開口部８が形成されている。巻芯保持具１は、開口部８を有し回転軸５に嵌着されるハブ（回転軸挿通部）９と、巻芯４内に挿入されて巻芯４を保持する外周壁（外周部）１０と、ハブ９から径方向外側に延び外周壁１０に連結される連結部１１とを備えている。
【００３７】
ハブ９の開口部８の周縁には、回転軸５の外周面から突出する凸部（不図示）を受容する受容部（切欠き部）１３が形成されている。受容部１３は、開口部８の径方向外側に延び、径方向において外周壁１０の内面側まで形成されている。受容部１３は、開口部８の軸線方向に貫通している。受容部１３は、正面側から見て径方向に延在する一対の壁体１４を有し、この一対の壁体１４は、径方向においてハブ９から外周壁１０まで連続している。そして、一対の壁体１４及びこの壁体１４間の外周壁１０によって囲まれた領域に回転軸５の凸部が収容される。受容部１３の一対の壁体１４間の距離は、例えば６ｍｍであり、一対の壁体１４の径方向の長さは、例えば１４．５ｍｍである。受容部１３の大きさは、回転軸５の凸部の形状に対応している。受容部１３に収容された回転軸５の凸部は、一対の壁体１４に当接した状態となる。なお、受容部１３は、径方向において外周壁１０まで達していないものでもよい。回転軸５の凸部は、回転軸の軸線方向において、巻芯保持具１の外側へ張出すものでもよい。
【００３８】
外周壁１０は、巻芯保持具１の外周縁に沿って周方向に連続している。また、外周壁１０は、開口部８の軸線方向において所定の長さを有する。外周壁１０の外面（径方向外側に向く面）は、巻芯４の内周面に当接する面である。外周壁１０の外面には、径方向外側に突出する突起部（外周突起部）１５が形成されている。この突起部１５が、巻芯４の内周面に突き当てられて、巻芯保持具１が巻芯４に引っ掛かることで、巻芯保持具１の回転力が巻芯４に伝達される。突起部１５の周方向における位置は、受容部１３の周方向における位置と同じであってもよく、異なっていてもよい。
【００３９】
連結部１１は、背面側でハブ９と外周壁１０とを連結する板状部１６と、板状部１６の正面側に形成されたリブ１７，１８とを有する。板状部１６の厚さ方向は、開口部８の軸線方向に沿うように配置されている。板状部１６は、径方向においてハブ９と外周壁１０との間を覆うように配置されている。なお、受容部１３が形成されている領域には、板状部１６は形成されていない。また、板状部１６において、開口部８の軸線方向に貫通する切欠きが形成されていてもよい。このような切欠きを設けることで、材料の削減及び軽量化を図ることができる。
【００４０】
リブ１７，１８は、例えば、板状部１６から正面側へ突出すると共に、ハブ９から径方向外側へ放射状に延びている。リブ１８は、径方向において受容部１３に対して開口部８を挟んで反対側に配置されている。また、リブ１７は、周方向において、リブ１７と受容部１３の一対の壁体１４との間に配置されている。リブ１８は、径方向においてハブ９と外周壁１０と連結している。リブ１７は、径方向において外周壁１０と連結されていないが、外周壁１０と連結されていてもよい。
【００４１】
次に、巻芯保持具１の作用について説明する。
巻芯保持具１は、巻芯４の長手方向の両端部に嵌められ、巻芯４の内周面と巻芯保持具１の外周壁１０とが当接した状態で使用される。このとき、巻芯保持具１の突起部１５は、巻芯４の内周面に突き当てられた状態であり、巻芯保持具１と巻芯４との結合を強固なものとしている。
【００４２】
巻芯保持具１が巻芯４に装着された状態において、回転軸５を巻芯４の開口部８に挿通させる。回転軸５は、軸線方向において巻芯４を貫通し、巻芯４の両端部に装着された一対の巻芯保持具１の開口部８に挿通されている。巻芯保持具１のハブ９は回転軸５に嵌められた状態となり、このとき、回転軸５の外周面から突出する凸部は、巻芯保持具１の受容部１３に収容された状態となる。回転軸５の凸部は、一対の壁体１４に挟まれ、周方向に隣接する壁体１４と当接した状態となる。
【００４３】
これにより、巻芯保持具１を介して、巻芯４を回転軸５に装着することができ、巻回体３は回転軸５と共に回転可能に支持された状態となる。そして、回転軸５を軸回りに回転させることで巻回体３を回転させて、異方導電材テープ２を巻回体３から引き出して使用することができる。
【００４４】
このような巻芯保持具１では、回転軸５が挿入される開口部８の周縁に、回転軸５の凸部を受容する受容部１３が形成されているので、受容部１３に回転軸の凸部を挿入して回転軸５の回転力を巻芯保持具１に伝達することができる。巻芯保持具１は、巻芯４を回転軸５に装着させると共に、巻芯４と回転軸５との間の周方向の力の伝達を確実にして、巻回体３を回転させて巻回体３からの異方導電材テープ２の引出しを安定的に行うことができる。
【００４５】
また、受容部１３は、径方向においてハブ９から外周壁１０の内側まで達するように形成されているので、回転軸５の凸部の張り出し長さを長くすることができる。これにより、回転軸５の凸部と一対の壁体１４とが接触する領域を径方向に増やすことができる。そのため、回転軸５の回転力を巻芯保持具１に確実に伝達することができ、異方導電材テープ２をより安定的に引き出すことができる。
【００４６】
また、受容部１３は、巻芯保持具１の正面側から背面側へ貫通するように形成されているので、回転軸５の凸部を回転軸５の軸線方向に長くすることができるので、回転軸５の凸部と受容部１３とが接触する領域を増やすことができる。そのため、回転軸５の回転力を巻芯保持具１に伝達させて、異方導電材テープ２を安定的に引き出すことができる。
【００４７】
また、巻芯保持具１を介して回転軸５に巻芯４を装着することができるので、巻芯４のサイズ変更があっても、巻芯保持具１のサイズ変更を行うだけで従来の回転軸５に装着させることができる。そのため、繰り出し装置の回転軸５の変更などの費用負担を回避することができる。
【００４８】
また、異方導電材テープセット３２は、巻芯４に巻芯保持具１が嵌められて一体として構成された巻芯ユニット３１を備えているので、回転軸５に装着する前に巻芯４と巻芯保持具１とを組み合わせる必要がなく取扱いが容易である。また、異方導電材テープセット３２によれば、巻芯ユニット３１と巻回体３とが一体として構成された製品として提供することができる。
【００４９】
本発明は、前述した実施形態に限定されず、本発明の要旨を逸脱しない範囲で、下記のような種々の変形が可能である。
【００５０】
上記の実施形態では、一つの受容部１３を備える巻芯保持具１について説明しているが、受容部１３は複数形成されていてもよい。図５は、変形例に係る巻芯保持具２１を示す模式的正面図である。図５に示されるように、巻芯保持具２１は、開口部８を挟んで径方向に対向して配置された一対の受容部１３を備えている。また、巻芯保持具２１の開口部８の内径は、巻芯保持具１の開口部８の内径よりも大きいものである。
【００５１】
また、上記実施形態の巻芯保持具１では、連結部１１がリブ１７，１８を備えているが、図５に示されるように、リブ１７，１８を備えていない連結部２２でもよい。連結部２２は、正面側から見て円弧状を成すように形成され、巻芯保持具２１の回転軸挿通部２３と外周壁１０とを径方向において連結している。
【００５２】
また、上記実施形態では、接着剤層６及び基材フィルム７を有する異方導電材テープ２を巻芯４に巻き付けているが、巻芯４に巻き付けられる異方導電材テープ２は、２層構造ものものに限定されず、３層以上の構造の異方導電材テープでもよい。例えば、複数の基材フィルムを備える異方導電材テープでもよい。
【００５３】
また、上記実施形態では、フィルム状の接着剤として異方導電性を有する異方導電材テープ２を例示しているが、フィルム状の接着剤は異方導電材テープに限定されず、等方導電材テープ、絶縁材テープ等のその他のフィルム状の接着剤を巻芯に巻き重ねてもよい。等方導電材テープは、等方導電性を有する接着剤層を備え、この接着剤層に含まれる導電粒子の含有量は、異方導電材テープの接着剤層よりも多くなっている。また、絶縁材テープは、導電粒子を含有せず電気絶縁性を有する接着剤層を備えている。
【００５４】
また、フィルム状の接着剤は、帯状の接着剤テープに限定されず、フィルム状を成し所定の幅を有するものでもよく、その他の形状のものでもよい。また、フィルム状の接着剤は、基材フィルムを備えておらず接着剤層のみからなるものでもよい。
【００５５】
また、上記実施形態では、回転軸５の凸部を収容する受容部が、巻芯保持具１の正面から背面へ貫通する構成となっているが、受容部は、回転軸５の凸部を収容可能であればよく、貫通していないものでもよい。例えば、背面側が連結部１１の板状部１６に覆われている構成でもよく、この場合には、回転軸５の凸部と板状部１６とが当接することで、回転軸５の軸線方向における巻芯保持具１の位置を規制することができる。
【００５６】
また、上記実施形態では、外周壁１０の外面に外周突起部１５が形成されているが、複数の外周突起部１５を備える巻芯保持具でもよく、外周突起部１５を備えていない巻芯保持具でもよい。
【００５７】
また、巻芯ユニット及びフィルム状接着剤セットは、図５に示された巻芯保持具２１を備えるものでもよく、その他の形状の巻芯保持具を備えるものでもよい。
【符号の説明】
【００５８】
１，２１…巻芯保持具、２…異方導電材テープ（フィルム状の接着剤）、３…巻回体、４…巻芯、４ａ…巻芯の開口、５…回転軸、６…接着剤層、７…基材フィルム、８…開口部、９…ハブ（回転軸挿通部）、１０…外周壁（外周部）、１１，２２…連結部、１３…受容部、１５…突起部（外周突起部）、３１…巻芯ユニット、３２…異方導電材テープセット（フィルム状接着剤セット）。
【図１】
2015006937.tif 000003
【図２】
2015006937.tif 000004
【図３】
2015006937.tif 000005
【図４】
2015006937.tif 000006
【図５】
2015006937.tif 000007